(57)【特許請求の範囲】
【請求項１】
小径瓶と大径瓶が、仕切部材により仕切られた区画室に収容されるように構成された仕切容器において、区画底部を構成する上部台座部の内縁から下方に延設され、小径瓶の下部が挿入される円筒部を、少なくとも、仕切板或いは側壁方向に移動させて、円筒部に挿入される小径瓶の胴部が、仕切板或いは側壁に当接するように構成したことを特徴とする仕切容器。
【請求項２】
大径瓶の底面の一部を、上部台座部に載置するとともに、一部を、円筒部に挿入することにより、区画室に収容された大径瓶を傾斜させて、大径瓶の上部を、側壁或いは仕切板に当接するように構成したことを特徴とする請求項１に記載の仕切容器。
【発明の詳細な説明】
【０００１】
【発明の属する技術分野】
本発明は、容器内に収容される物品が、互いに当接しないような仕切部材を有する仕切容器に関するものであり、特に、小径瓶と大径瓶が、仕切部材により仕切られた区画室に収容されるように構成された仕切容器に関するものである。
【０００２】
【従来の技術】
先ず最初に、図７〜図１０を用いて、従来の仕切容器について説明する。
【０００３】
仕切容器は、平面形状が略方形状の底部１と、底部１の各辺から略垂直に上方に延在する側壁２と、側壁２の上端から外方に、略水平状に延在する上部フランジ３と、側壁２の下端から外方に、略水平状に延在する下部フランジ４と、上部フランジ３と下部フランジ４とを連結する、側壁２の外面に形成された適当数の垂直リブ５と、相対する一方の側壁２に形成された、周囲がリブ６ａで囲まれた持ち手用透孔６と、容器内を、平面形状が略正方形の升目状の区画室７ａに仕切る仕切り部材７とを有しており、仕切容器は、合成樹脂で一体に成型されている。なお、必要に応じて、上部フランジ３と下部フランジ４との中程に位置する側壁２の外面に形成された適当数の水平リブ８が形成されており、また、水平リブ８の下方に位置する側壁２には、必要に応じて、通気孔９が形成されている。
【０００４】
仕切り部材７は、容器の略中程の高さを有するとともに、互いに、直交するように交叉して配置された仕切板７ｂを有しており、容器は、仕切板７ｂにより、略同じ大きさを有する略直方体の区画室７ａに仕切られている。また、仕切板７ｂの交叉頂部７ｃの下方に位置する仕切板７ｂには、仕切板７ｂの上部から底部１方向に延在する縦長の通気孔７ｄが形成されている。
【０００５】
底部１は、仕切板７ｂにより囲まれた区画室７ａを構成する区画底部１’の集合体として構成されている。区画底部１’は、仕切板７ｂの下端或いは側壁２の下端から、区画底部１’の中央部に向かって略水平に延在する板状の上部台座部１ａを有しており、上部台座部１ａの内縁からは、円筒部１ｂが下方に向かって延在しており、そして、円筒部１ｂの下端からは、区画底部１’の中央部に向かって略水平に延在する板状の下部台座部１ｃが形成されている。また、下部台座部１ｃの中央部には、円形状の通気孔１ｄが穿設されており、更に、通気孔１ｄの周囲には、必要に応じて、連結梁１ｃ１を残して、通気孔１ｄを囲むように、スリット１ｅが形成されている。１ｆは、下部台座部１ｃに形成された円形状の通気孔１ｄに沿って垂下された環状リブである。
【０００６】
上述した従来の仕切容器の区画室７ａには、図１０に示されているように、胴部の径が大きな瓶（以下、単に、大径瓶という。）Ｂｂと、胴部の径が小さな瓶（以下、単に、小径瓶という。）Ｂｓの大小の２種類の瓶が収容できるように構成されている。そして、小径瓶Ｂｓの下部は、円筒部１ｂに挿入されるとともに、小径瓶Ｂｓの底面は、下部台座部１ｃに載置され、また、大径瓶Ｂｂの底面は、上部台座部１ａに載置されるように構成されている。
【０００７】
【発明が解決しようとする課題】
上述した従来の仕切容器の下部台座部１ｃに、小径瓶Ｂｓを載置した場合には、仕切容器を運搬中に、仕切容器が傾くと、小径瓶Ｂｓの胴部ｂ１と側壁２或いは仕切板７ｂとの間には間隙が存在するので、図９の右端に示されている小径瓶Ｂｓのように、小径瓶Ｂｓが傾き、小径瓶Ｂｓの安定が悪いとともに、仕切容器の運搬中に、ガタガタと揺れ、小径瓶Ｂｓが損傷するというような問題があった。
【０００８】
本発明の目的は、上述した従来の仕切容器が有する課題を解決することにある。
【０００９】
【課題を解決するための手段】
本発明は、上述した目的を達成するために、小径瓶と大径瓶が、仕切部材により仕切られた区画室に収容されるように構成された仕切容器において、第１には、区画底部を構成する上部台座部の内縁から下方に延設され、小径瓶の下部が挿入される円筒部を、少なくとも、仕切板或いは側壁方向に移動させて、円筒部に挿入される小径瓶の胴部が、仕切板或いは側壁に当接するように構成したものであり、第２には、大径瓶の底面の一部を、上部台座部に載置するとともに、一部を、円筒部に挿入することにより、区画室に収容された大径瓶を傾斜させて、大径瓶の上部を、側壁或いは仕切板に当接するように構成したものである。
【００１０】
【実施例】
以下に、図１〜図６を用いて、本発明の実施例について説明するが、本発明の趣旨を越えない限り何ら、本実施例に限定されるものではない。なお、上述した仕切容器と、同一の構成部材については、その詳細な説明を省略するとともに、同じ符号が使用されている。
【００１１】
先ず最初に、図１〜図３を用いて、本発明の第１実施例について説明する。
【００１２】
本実施例においては、区画底部１’を構成する上部台座部１ａの内縁から下方に延設され、小径瓶Ｂｓの下部が挿入される円筒部１ｂを、少なくとも、区画室７ａを構成する仕切板７ｂの壁面或いは側壁２の内壁２ａ方向に移動させて、円筒部１ｂに挿入される小径瓶Ｂｓの胴部ｂ１が、区画室７ａを構成する仕切板７ｂの壁面或いは側壁２の内壁２ａに当接するように構成したものである。以下に、この点を詳述する。
【００１３】
仕切容器の隅部に位置する区画室７ａ１、即ち、２つの側壁２と２つの仕切板７ｂにより囲まれている区画室７ａ１においては、区画底部１’を構成する円筒部１ｂを、隅部を形成する２つの側壁２方向に移動させて、円筒部１ｂの内壁１ｂ１の一部垂直線が、隅部を形成する２つの側壁２の内壁２ａに一致するように構成されている。このように構成することにより、仕切容器の隅部に位置する区画室７ａ１の区画底部１’の円筒部１ｂに挿入された小径瓶Ｂｓの胴部ｂ１の垂直線の一部が、隅部を形成する２つの側壁２に当接し、安定した状態で、小径瓶Ｂｓを、仕切容器に収容できるように構成されている。
【００１４】
また、１つの側壁２と３つの仕切板７ｂにより囲まれている区画室７ａ２においては、区画底部１’を構成する円筒部１ｂを、側壁２の内壁２ａ方向或いは側壁２と１つの仕切板７ｂにより形成される隅部方向に移動させて、円筒部１ｂの内壁１ｂ１の一部垂直線が、側壁２の内壁２ａ或いは側壁２の内壁２ａと仕切板７ｂの壁面に一致するように構成されている。このように構成することにより、１つの側壁２と３つの仕切板７ｂにより囲まれた区画室７ａ２の区画底部１’の円筒部１ｂに挿入された小径瓶Ｂｓの胴部ｂ１の一部が、側壁２或いは側壁２と仕切板７ｂに当接して、安定した状態で、小径瓶Ｂｓを、仕切容器に収容できるように構成されている。
【００１５】
更に、４つの仕切板７ｂにより囲まれている区画室７ａ３においては、区画底部１’を構成する円筒部１ｂを、１つの仕切板７ｂの方向或いは２つの仕切板７ｂにより形成される隅部方向に移動させて、円筒部１ｂの内壁１ｂ１の一部垂直線が、１つの仕切板７ｂの壁面或いは２つの仕切板７ｂの壁面に一致するように構成されている。このように構成することにより、４つの仕切板７ｂにより囲まれた区画室７ａ３の区画底部１’の円筒部１ｂに挿入された小径瓶Ｂｓの胴部ｂ１が、仕切板７ｂに当接して、安定した状態で、小径瓶Ｂｓを、仕切容器に収容できるように構成されている。
【００１６】
大径瓶Ｂｂの底面は、その一部が、上部台座部１ａに載置されるとともに、一部が、円筒部１ｂに挿入されることにより、２つの側壁２と２つの仕切板７ｂにより囲まれている区画室７ａ１においては、２つの側壁２により形成される隅部方向に傾斜して、大径瓶Ｂｂが、側壁２に当接して、安定した状態で、小径瓶Ｂｓを、仕切容器に収容できるように構成されており、また、１つの側壁２と３つの仕切板７ｂにより囲まれている区画室７ａ２においては、１つの側壁２と１つの仕切板７ｂにより形成される隅部方向或いは１つの側壁２方向に傾斜して、１つの側壁２と１つの仕切板７ｂ或いは１つの側壁２に当接して、安定した状態で、小径瓶Ｂｓを、仕切容器に収容できるように構成されており、更に、４つの仕切板７ｂにより囲まれている区画室７ａ３においては、２つの仕切板７ｂにより形成される隅部方向或いは１つの仕切板７ｂ方向に傾斜して、２つの仕切板７ｂ或いは１つの仕切板７ｂに当接して、安定した状態で、小径瓶Ｂｓを、仕切容器に収容できるように構成されている。
【００１７】
本実施例においては、仕切容器には、側壁２の長辺２ｂ方向には５個、また、側壁２の短辺２ｃ方向には４個、合計２０個の区画室７ａが形成されており、小径瓶Ｂｓの下部が挿入される円筒部１ｂの配置は、側壁２の長辺２ｂに沿った中心線Ｘを挟んで、線対称になるように形成されており、また、側壁２の短辺２ｃに沿った中心線Ｙを挟んでも、線対称になるように形成されている。このように構成することにより、仕切容器に、方向性がなくなり、従って、仕切容器を、ベルトコンベヤやローラーコンベヤ等の搬送装置により搬送する際には、仕切容器の側壁２の長辺２ｂが、搬送装置の走行方向に沿うように載置するだけで、或いは、仕切容器の側壁２の短辺２ｃが、搬送装置の走行方向に沿うように載置するだけよいので、その方向性を考慮する必要がなく、よって、仕切容器の搬送装置への載置作業の作業性が向上する。
【００１８】
次に、図４〜図６を用いて、本発明の他の実施例について説明する。
【００１９】
この実施例においては、上述した従来の仕切容器の下部台座部１ｃが傾斜されており、このように、下部台座部１ｃを傾斜面に構成することにより、傾斜した下部台座部１ｃに、その底面が載置される小径瓶Ｂｓは、上部が、側壁２或いは仕切板７ｂに当接し、従って、安定した状態で、小径瓶Ｂｓを、仕切容器に収容できるように構成されている。また、大径瓶Ｂｂの底面は、上部台座部１ａに載置されるとともに、大径瓶Ｂｂが傾斜しても．直ぐに、側壁２或いは仕切板７ｂに当接するので、従って、安定した状態で、小径瓶Ｂｓを、仕切容器に収容できるように構成されている。
【００２０】
図４〜図６に示されている実施例には、側壁２の短辺２ｃに平行な５列の区画室７ａ列のうち、中央の列以外の区画底部１’を構成する下部台座部１ｃが傾斜しており、その傾斜方向は、近い方の側壁２の短辺２ｃ側に傾斜している。即ち、図４及び図５に示されているように、中央の列の区画室７ａ４を挟んで、左側に位置する区画室７ａは、区画底部１’を構成する下部台座部１ｃが、左側の側壁２の短辺２ｃ方向に傾斜しており、また、中央の列の区画室７ａ４を挟んで、右側に位置する区画室７ａは、区画底部１’を構成する下部台座部１ｃが、右側の側壁２の短辺２ｃ方向に傾斜している。
【００２１】
本実施例においては、上述したように、仕切容器に方向性を持たせないために、中央の列の区画室７ａ４の区画底部１’を構成する下部台座部１は、従来の仕切容器のように水平に形成されているが、仕切容器に方向性を考慮しなければ、傾斜して構成することもできる。
【００２２】
【発明の効果】
本発明は、以上説明した構成を有しているので、以下に記載する効果を奏するものである。
【００２３】
小径瓶と大径瓶を、共に、安定した状態で、仕切り部材を有する仕切容器に収容できる。
【図面の簡単な説明】
【図１】図１は本発明の仕切容器の平面図である。
【図２】図２は図１のＩ−Ｉ線に沿った垂直断面図である。
【図３】図３は図１のII−II線に沿った垂直断面図である。
【図４】図４は本発明の別の実施例の仕切容器の平面図である。
【図５】図５は図４のＩ−Ｉ線に沿った垂直断面図である。
【図６】図６は図４のII−II線に沿った垂直断面図である。
【図７】図７は従来の仕切容器の斜視図である。
【図８】図８は従来の仕切容器の平面図である。
【図９】図９は図８のＩ−Ｉ線に沿った垂直断面図である。
【図１０】図１０は図８のII−II線に沿った垂直断面図である。
【符号の説明】
Ｂｂ・・・・・・・・・大径瓶
Ｂｓ・・・・・・・・・小径瓶
１・・・・・・・・・・底部
１ａ・・・・・・・・・上部台座部
１ｂ・・・・・・・・・円筒部
１ｃ・・・・・・・・・下部台座部
２・・・・・・・・・・側壁
７・・・・・・・・・・仕切部材
７ａ・・・・・・・・・区画室
７ｂ・・・・・・・・・仕切板
【図１】
0004233197.tif 000002
【図２】
0004233197.tif 000003
【図３】
0004233197.tif 000004
【図４】
0004233197.tif 000005
【図５】
0004233197.tif 000006
【図６】
0004233197.tif 000007
【図７】
0004233197.tif 000008
【図８】
0004233197.tif 000009
【図９】
0004233197.tif 000010
【図１０】
0004233197.tif 000011